(57)【要約】【課題】誤り訂正を行うデータ伝送の効率を改善する。【解決手段】光伝送装置は、対向装置との間のレイテンシに基づいて誤り訂正方式を決定する誤り訂正方式決定部と、誤り訂正方式決定部により決定された誤り訂正方式で送信データに対して誤り訂正符号化処理を行って符号化データを生成する誤り訂正エンコーダと、誤り訂正方式決定部により決定された誤り訂正方式および対向装置との間の伝送特性に基づいて変調方式を決定する変調方式決定部と、変調方式決定部により決定された変調方式で符号化データから変調光信号を生成する光送信器を有する。【選択図】図４
2015171016.tif 000002
【特許請求の範囲】
【請求項１】
対向装置との間のレイテンシに基づいて誤り訂正方式を決定する誤り訂正方式決定部と、
前記誤り訂正方式決定部により決定された誤り訂正方式で送信データに対して誤り訂正符号化処理を行って符号化データを生成する誤り訂正エンコーダと、
前記誤り訂正方式決定部により決定された誤り訂正方式および前記対向装置との間の伝送特性に基づいて変調方式を決定する変調方式決定部と、
前記変調方式決定部により決定された変調方式で前記符号化データから変調光信号を生成する光送信器と、
を有する光伝送装置。
【請求項２】
前記変調方式決定部は、前記誤り訂正方式決定部により決定された誤り訂正方式の符号化利得および前記対向装置との間の伝送特性に基づいて変調方式を決定する
ことを特徴とする請求項１に記載の光伝送装置。
【請求項３】
前記対向装置との間のレイテンシを測定するレイテンシ測定部をさらに有し、
前記誤り訂正方式決定部は、前記レイテンシ測定部により測定されたレイテンシに基づいて誤り訂正方式を決定する
ことを特徴とする請求項１に記載の光伝送装置。
【請求項４】
複数のサブキャリアを利用する離散マルチトーン変調でデータを対向装置へ送信する光伝送装置であって、
前記対向装置との間のレイテンシに基づいて誤り訂正方式を決定する誤り訂正方式決定部と、
前記誤り訂正方式決定部により決定された誤り訂正方式で送信データに対して誤り訂正符号化処理を行って符号化データを生成する誤り訂正エンコーダと、
前記対向装置との間の伝送特性および前記誤り訂正方式決定部により決定された誤り訂正方式に基づいて決定される前記複数のサブキャリアに対するビット割当てに従って、離散マルチトーン変調で前記符号化データから離散マルチトーン変調信号を生成する離散マルチトーン変調部と、
前記離散マルチトーン変調部により生成される離散マルチトーン変調信号から変調光信号を生成する光変調器と、
を有する光伝送装置。
【請求項５】
第１の光伝送装置および第２の光伝送装置を有する光伝送システムであって、
前記第１の光伝送装置は、
前記第１の光伝送装置と前記第２の光伝送装置との間のレイテンシに基づいて誤り訂正方式を決定する誤り訂正方式決定部と、
前記誤り訂正方式決定部により決定された誤り訂正方式で送信データに対して誤り訂正符号化処理を行って符号化データを生成する誤り訂正エンコーダと、
前記誤り訂正方式決定部により決定された誤り訂正方式および前記第１の光伝送装置と前記第２の光伝送装置との間の伝送特性に基づいて変調方式を決定する変調方式決定部と、
前記変調方式決定部により決定された変調方式で前記符号化データから変調光信号を生成する光送信器と、
を有する光伝送システム。
【発明の詳細な説明】
【技術分野】
【０００１】
本発明は、誤り訂正機能を有する光伝送装置および光伝送システムに係わる。
【背景技術】
【０００２】
データ伝送システムにおいてビット誤りの影響を抑制する技術の１つとして、誤り訂正符号が広く実用化されている。誤り訂正符号は、例えば、送信側の伝送装置においてデータの末尾に付与される。そして、受信側の伝送装置は、その誤り訂正符号を利用して受信データのビット誤りを訂正することができる。
【０００３】
近年では、様々な誤り訂正方法が実用化されている。そして、誤り訂正方法は、通信環境に応じて適切に選択される。例えば、回線の品質が低いときは、訂正能力の高い方法が選択される。また、低いビット誤り率が要求されるときも、訂正能力の高い方法が選択される。
【０００４】
なお、誤り率の変化に応じて適正な誤り訂正制御を行う誤り訂正制御装置が提案されている（例えば、特許文献１）。また、無線伝送路の回線品質に応じて誤り訂正方法を選択する誤り訂正方式が提案されている（例えば、特許文献２）。さらに、伝送システムの誤り訂正モードの変更時にデータ途切れを回避または抑制する誤り訂正制御方法が提案されている（例えば、特許文献３）。
【先行技術文献】
【特許文献】
【０００５】
【特許文献１】特開平３−７１７３９号公報
【特許文献２】特開平９−１１６４８６号公報
【特許文献３】特開２０１３−１３０３０号公報
【発明の概要】
【発明が解決しようとする課題】
【０００６】
誤り訂正能力を高くするためには、例えば、符号長の長い誤り訂正符号が使用される。この場合、実際のデータに対して誤り訂正符号の割合が増加するので、データ伝送の効率は低下するおそれがある。また、受信側の伝送装置において誤り訂正処理に要する時間が長くなるので、高速応答が要求されるサービス（例えば、証券取引または為替取引など）を提供することが困難になることがある。
【０００７】
本発明の１つの側面に係わる目的は、誤り訂正を行うデータ伝送の効率を改善することである。
【課題を解決するための手段】
【０００８】
本発明の１つの態様の光伝送装置は、対向装置との間のレイテンシに基づいて誤り訂正方式を決定する誤り訂正方式決定部と、前記誤り訂正方式決定部により決定された誤り訂正方式で送信データに対して誤り訂正符号化処理を行って符号化データを生成する誤り訂正エンコーダと、前記誤り訂正方式決定部により決定された誤り訂正方式および前記対向装置との間の伝送特性に基づいて変調方式を決定する変調方式決定部と、前記変調方式決定部により決定された変調方式で前記符号化データから変調光信号を生成する光送信器を有する。
【発明の効果】
【０００９】
上述の態様によれば、誤り訂正を行うデータ伝送の効率が改善する。
【図面の簡単な説明】
【００１０】
【図１】本発明の実施形態に係わる光ネットワークの一例を示す図である。
【図２】ＤＭＴ変調を利用してデータを伝送する光伝送システムの一例を示す図である。
【図３】ＤＭＴ変調について説明する図である。
【図４】本発明の実施形態に係る光送受信器の構成の一例を示す図である。
【図５】伝送距離に対するレイテンシおよび光損失を示す図である。
【図６】ＦＥＣ方式判定テーブルの一例を示す図である。
【図７】小さいレイテンシに対してＦＥＣ方式および変調方式を決定する実施例を示す図である。
【図８】大きいレイテンシに対してＦＥＣ方式および変調方式を決定する実施例を示す図である。
【図９】ＦＥＣ方式および変調方式を決定する処理を示すフローチャートである。
【図１０】伝送距離に基づいてＦＥＣ方式を決定する方法を説明する図である。
【図１１】サービス種別に基づいてＦＥＣ方式を決定する方法を説明する図である。
【図１２】ユーザ要求に基づいてＦＥＣ方式を決定する方法を説明する図である。
【発明を実施するための形態】
【００１１】
図１は、本発明の実施形態に係わる光ネットワークの一例を示す。この光ネットワークには、図１に示すように、複数の光伝送装置１（１Ａ〜１Ｄ）が接続されている。また、この光ネットワークは、例えば、１または複数の光経路切替器を有している。光経路切替器は、例えば、ルータ装置である。そして、光伝送装置１は、指定された対向装置（すなわち、他の光伝送装置１）との間でデータを送信および受信することができる。
【００１２】
各光伝送装置１は、光送受信器２を有する。光送受信器２は、光送信器および光受信器を含む。そして、光送受信器２は、データ信号から変調光信号を生成して宛先へ送信することができる。また、光送受信器２は、受信した変調光信号を復調してデータ信号を再生することができる。
【００１３】
上記構成の光ネットワークにおいては、伝送距離および／または容量が異なる光パスが要求される。例えば、光伝送装置１Ａは、クラウドサービスのためにデータセンターに設けられており、光伝送装置１Ｂ〜１Ｄは、それぞれクライアントに接続されているものとする。この場合、光伝送装置１Ａは、各クライアントからデータセンターへのアクセスに際して、異なる伝送距離および異なる容量の光パスが要求される。よって、光送受信器２は、異なる伝送距離および異なる容量に柔軟に対応できることが好ましい。さらに、光送受信器２は、100Gbpsを越える大容量データ伝送が要求されることがある。
【００１４】
近年では、データの伝送速度を向上させる技術の１つとして、離散マルチトーン（ＤＭＴ：Discrete Multi-Tone）変調が研究されている。以下の記載では、光送受信器２がＤＭＴ変調を利用してデータを送信および受信するものとする。
【００１５】
図２は、ＤＭＴ変調を利用してデータを伝送する光伝送システムの一例を示す。ここでは、光送信器３から光受信器４へＤＭＴ変調光信号が伝送されるものとする。なお、光送信器３は、光伝送装置１（例えば、光伝送装置１Ａ）の光送受信器２の中に設けられ、光受信器４は、他の光伝送装置１（例えば、光伝送装置１Ｂ）の光送受信器２の中に設けられているものとする。
【００１６】
光送信器３は、ＤＭＴ変調部３ａ、Ｄ／Ａコンバータ３ｂ、Ｅ／Ｏ素子３ｃを有する。ＤＭＴ変調部３ａは、データからＤＭＴ変調信号を生成する。このとき、データは、分割して複数のサブキャリアに割り当てられる。このため、高速データが伝送される場合であっても、各サブキャリアに割り当てられるデータの速度を遅くすることができる。なお、複数のサブキャリアの周波数は互いに異なっている。
【００１７】
Ｄ／Ａコンバータ３ｂは、ＤＭＴ変調部３ａにより生成されるＤＭＴ変調信号をアナログ信号に変換する。そして、Ｅ／Ｏ素子３ｃは、アナログＤＭＴ変調信号からＤＭＴ変調光信号を生成する。Ｅ／Ｏ素子３ｃは、例えば、直接変調レーザ部品により実現される。
【００１８】
図３（ａ）は、ＤＭＴ変調光信号のスペクトルの一例を示す。この例では、ＤＭＴ変調において、Ｎ個のサブキャリア１〜Ｎを利用してデータが伝送される。また、各サブキャリアの光強度（または、光パワー）は、ほぼ等化されている。そして、このＤＭＴ変調光信号は、光ファイバ伝送路を介して伝送され、光受信器４により受信される。
【００１９】
光受信器４は、Ｏ／Ｅ素子４ａ、Ａ／Ｄコンバータ４ｂ、ＤＭＴ復調部４ｃを有する。Ｏ／Ｅ素子４ａは、受信したＤＭＴ変調光信号を電気信号に変換する。このＯ／Ｅ素子４ａは、例えば、フォトダイオードにより実現される。Ａ／Ｄコンバータ４ｂは、Ｏ／Ｅ素子４ａから出力される信号をデジタル信号に変換する。そして、ＤＭＴ復調部４ｃは、Ａ／Ｄコンバータ４ｂから出力されるデジタル信号に対してＤＭＴ復調を行ってデータを再生する。
【００２０】
上記構成の光伝送システムにおいて、各サブキャリアに対するデータの分配は、たとえば、光伝送装置間の伝送特性に基づいて決定される。伝送特性は、例えば、受信側の光伝送装置においてモニタされる光信号対雑音比（ＳＮＲ：Signal-to-Noise Ratio）により特定される。すなわち、伝送特性モニタ部５は、光送信器３から受信するＤＭＴ変調光信号の光信号対雑音比をモニタする。この場合、伝送特性モニタ部５は、サブキャリア毎に光信号対雑音比をモニタする。
【００２１】
図３（ｂ）は、伝送特性モニタ部５により測定された伝送特性の一例を示す。横軸は、各サブキャリアを識別するサブキャリア番号（１〜Ｎ）を表す。縦軸は、光信号対雑音比を表す。この例では、サブキャリア番号が小さい周波数領域で伝送特性が良好であり、サブキャリア番号が大きい周波数領域で伝送特性が劣化している。
【００２２】
ビット割当て部６は、伝送特性モニタ部５により測定された伝送特性に基づいて、各サブキャリアに対するビット割当てを決定する。すなわち、各サブキャリアについて、１シンボルで伝送するビット数が決定される。このとき、光信号対雑音比が高いサブキャリアに対して割り当てられるビット数は大きく、光信号対雑音比が低いサブキャリアに対して割り当てられるビット数は小さい。図３（ｃ）に示す例では、サブキャリア１〜１００に対してそれぞれ「４ビット」が割り当てられ、サブキャリア１０１〜１９０に対してそれぞれ「３ビット」が割り当てられ、サブキャリア１９１〜２５６に対してそれぞれ「２ビット」が割り当てられている。
【００２３】
ビット設定部７は、ビット割当て部６によって決定されたビット割当てに従って、各サブキャリアの変調方式を指定する。例えば、「２ビット」が割り当てられるサブキャリアに対しては、ＱＰＳＫに相当する変調方式が指定される。「３ビット」が割り当てられるサブキャリアに対しては、８ＰＳＫに相当する変調方式が指定される。「４ビット」が割り当てられるサブキャリアに対しては、１６ＱＡＭに相当する変調方式が指定される。そうすると、ＤＭＴ変調部３ａは、ビット設定部７により指定された変調方式で、各サブキャリアを変調する。
【００２４】
なお、図２に示す構成では、受信側の光伝送装置内にビット割当て部６が設けられているが、本発明はこの構成に限定されるものではない。すなわち、例えば、ビット割当て部６は送信側の光伝送装置内に設けられていてもよい。この場合、伝送特性モニタ部５による測定結果が、受信側の光伝送装置から送信側の光伝送装置へ通知される。
【００２５】
このように、本発明の実施形態に係わる光伝送装置１は、ＤＭＴ変調でデータを伝送する。これに加えて、光伝送装置１は、ビット誤りの影響を低減するために、誤り訂正符号を利用してデータを伝送することができる。
【００２６】
図４は、本発明の実施形態に係る光送受信器の構成の一例を示す。以下の記載では、光送受信器２ａと光送受信器２ｂとの間でデータが伝送されるケースについて説明する。なお、光送受信器２ａは、ある光伝送装置１（例えば、光伝送装置１Ａ）の中に設けられ、光送受信器２ｂは、他の光伝送装置１（例えば、光伝送装置１Ｂ）の中に設けられているものとする。
【００２７】
光送受信器２ａは、ＦＥＣ（Forward Error Correction）エンコーダ１１ａ、ＤＭＴ変調部１２ａ、光変調部１３ａ、光受信部１４ａ、ＤＭＴ復調部１５ａ、ＦＥＣデコーダ１６ａ、制御信号生成部１７ａ、制御信号受信部１８ａ、ＦＥＣ制御部１９ａ、変調方式制御部２０ａを有する。同様に、光送受信器２ｂは、ＦＥＣエンコーダ１１ｂ、ＤＭＴ変調部１２ｂ、光変調部１３ｂ、光受信部１４ｂ、ＤＭＴ復調部１５ｂ、ＦＥＣデコーダ１６ｂ、制御信号生成部１７ｂ、制御信号受信部１８ｂ、ＦＥＣ制御部１９ｂ、変調方式制御部２０ａを有する。なお、光送受信器２ａおよび光送受信器２ｂの構成および動作は、実質的に同じである。よって、以下の記載では、主に、光送受信器２ａから光送受信器２ｂへデータが伝送されるケースについて説明する。
【００２８】
ＦＥＣエンコーダ１１ａは、送信データに対して誤り訂正符号化処理を行って符号化データを生成する。この実施例では、誤り訂正符号は、ＦＣＥ符号である。また、光送受信器２ａ及び２ｂは、複数のＦＥＣ方式をサポートする。以下の説明では、光送受信器２ａ及び２ｂは、それぞれ、ＢＣＨ符号（９０６ビット）、ＢＣＨ符号（３９６５ビット）、連接ＢＣＨ符号（３８０１６ビット）をサポートするものとする。そして、ＦＥＣエンコーダ１１ａは、ＦＥＣ制御部１９ａにより指定されたＦＥＣ方式で送信データから符号化データを生成する。
【００２９】
ＤＭＴ変調部１２ａは、ＦＥＣエンコーダ１１ａにより生成される符号化データからＤＭＴ変調信号を生成する。このとき、図２〜図３を参照しながら説明したように、符号化データは、分割されて複数のサブキャリアに分配される。また、各サブキャリアに対するビット割当ては、変調方式制御部２０ａにより指定される。すなわち、ＤＭＴ変調部１２ａは、変調方式制御部２０ａにより指定される変調方式（ここでは、ビット割当て）に従って、符号化データからＤＭＴ変調信号を生成する。
【００３０】
光変調部１３ａは、ＤＭＴ変調部１２ａにより生成されるＤＭＴ変調信号から変調光信号を生成する。光変調部１３ａは、例えば、図２に示すＤ／Ａコンバータ３ｂおよびＥ／Ｏ素子３ｃにより実現される。この場合、光変調部１３ａは、直接変調でＤＭＴ変調信号から変調光信号を生成する。また、光変調部１３ａは、外部変調でＤＭＴ変調信号から変調光信号を生成してもよい。この場合、光送受信器２ａは、光変調部１３ａに連続光を供給する光源２１ａを有する。
【００３１】
光送受信器２ａにより生成される変調光信号は、光ファイバ伝送路を介して伝送され、光送受信器２ｂにより受信される。この変調光信号は、光送受信器２ｂにおいて、光受信部１４ｂに導かれる。光受信部１４ｂは、受信した変調光信号を電気信号に変換する。なお、光受信部１４ｂは、例えば、図２に示すＯ／Ｅ素子４ａおよびＡ／Ｄコンバータ４ｂにより実現される。
【００３２】
ＤＭＴ復調部１５ｂは、光受信部１４ｂの出力信号に対してＤＭＴ復調を行って符号化データを再生する。ここで、ＤＭＴ変調部１２ａおよびＤＭＴ復調部１５ｂは、互いに対応する処理を実行する。そして、ＦＥＣデコーダ１６ｂは、ＤＭＴ復調部１５ｂにより再生された符号化データに対してＦＥＣ処理を行って送信データを再生する。このとき、ビット誤りが検出されたときは、ＦＥＣデコーダ１６ｂは、ＦＥＣ符号を利用してその誤りを訂正する。なお、ＦＥＣエンコーダ１１ａおよびＦＥＣデコーダ１６ｂは、互いに対応する処理を実行する。
【００３３】
制御信号生成部１７ａは、ＦＥＣ制御部１９ａまたは変調方式制御部２０ａからの指示に応じて制御信号を生成する。例えば、ＦＥＣ制御部１９ａからレイテンシ測定指示が与えられたときは、制御信号生成部１７ａは、プローブ信号を生成する。プローブ信号は、制御信号の１つであり、予め決められたデータパターンを有する。制御信号生成部１７ａにより生成される制御信号は、ＤＭＴ変調部１２ａおよび光変調部１３ａを利用して光送受信器２ｂへ送信される。
【００３４】
制御信号受信部１８ａは、光送受信器２ｂの制御信号生成部１７ｂにより生成される制御信号を受信する。そして、制御信号受信部１８ａは、受信した制御信号をＦＥＣ制御部１９ａへ導く。
【００３５】
ＦＥＣ制御部１９ａは、光送受信器２ａ、２ｂ間のレイテンシに基づいてＦＥＣ方式を決定する。そして、ＦＥＣ制御部１９ａは、決定したＦＥＣ方式でＦＥＣエンコーダ１１ａおよびＦＥＣデコーダ１６ａが動作するように、ＦＥＣエンコーダ１１ａおよびＦＥＣデコーダ１６ａに対して指示を与える。そうすると、ＦＥＣエンコーダ１１ａおよびＦＥＣデコーダ１６ａは、それぞれ、ＦＥＣ制御部１９ａから与えられる指示に従ってＦＥＣ処理のためのパラメータを更新する。また、ＦＥＣ制御部１９ａは、決定したＦＥＣ方式を変調方式制御部２０ａに通知する。
【００３６】
変調方式制御部２０ａは、ＦＥＣ制御部１９ａにより決定されたＦＥＣ方式および光送受信器２ａ、２ｂ間の伝送特性に基づいて変調方式を決定する。光送受信器２ａ、２ｂ間の伝送特性は、この実施例では、図３（ｂ）を参照しながら説明したように、各サブキャリアの光信号対雑音比で表される。この場合、各サブキャリアの光信号対雑音比は、図２に示す伝送特性モニタ５により、予めまたは定期的に測定される。そして、この測定結果は、伝送特性情報として変調方式制御部２０ａ（及び、２０ｂ）に与えられる。また、変調方式の決定は、この実施例では、図３（ｃ）を参照しながら説明したように、各サブキャリアに対するビット割当てにより実現される。
【００３７】
ＦＥＣエンコーダ１１（１１ａ、１１ｂ）、ＤＭＴ変調部１２（１２ａ、１２ｂ）、ＤＭＴ復調部１５（１５ａ、１５ｂ）、ＦＥＣデコーダ１６（１６ａ、１６ｂ）は、特に限定されるものではないが、例えば、ＤＳＰまたはＦＰＧＡ等により実現される。また、制御信号生成部１７（１７ａ、１７ｂ）、ＦＥＣ制御部１９（１９ａ、１９ｂ）、変調方式制御部２０（２０ａ、２０ｂ）は、特に限定されるものではないが、例えば、プロセッサエレメントおよびメモリを含むプロセッサシステムにより実現される。
【００３８】
次に、光送受信器２がレイテンシに基づいてＦＥＣ方式および変調方式を決定する方法について説明する。１つの実施例として、図４に示す光伝送システムにおいて、光送受信器２ａが光送受信器２ｂとの間の通信のためのＦＥＣ方式および変調方式を決定するものとする。
【００３９】
以下の記載では、光送受信器２ａ、２ｂ間の伝送特性（ここでは、各サブキャリアの光信号対雑音比）が予め測定されており、その測定結果が伝送特性情報としてＦＥＣ制御部１９ａに与えられているものとする。また、ＦＥＣエンコーダ１１ａ、１１ｂ、ＦＥＣデコーダ１６ａ、１６ｂは停止しているものとする。
【００４０】
まず、ＦＥＣ制御部１９ａは、光送受信器２ａ、２ｂ間のレイテンシを測定する。すなわち、ＦＥＣ制御部１９ａは、制御信号生成部１７ａにレイテンシ測定指示を与える。このとき、ＦＥＣ制御１９ａは、レイテンシを測定するためのタイマを起動する。或いは、ＦＥＣ制御部１９ａは、レイテンシ測定の開始時刻を記録する。
【００４１】
制御信号生成部１７ａは、レイテンシ測定指示に応じてレイテンシを測定するためのプローブ信号を生成する。プローブ信号は、予め決められたデータパターンを有する。そして、このプローブ信号は、ＤＭＴ変調部１２ａおよび光変調部１３ａを利用して光送受信器２ｂへ送信される。このとき、プローブ信号は、たとえば、ＤＭＴ変調において使用される複数のサブキャリアの中の予め指定されたサブキャリアで伝送されるようにしてもよい。
【００４２】
プローブ信号は、光送受信器２ｂにおいて、光受信部１４ｂにより抽出されて制御信号受信部１８ｂに導かれる。制御信号受信部１８ｂは、受信したプローブ信号をＦＥＣ制御部１９ｂに導く。ＦＥＣ制御部１９ｂは、光送受信器２ａにおいて生成されたプローブ信号を受信すると、光送受信器２ａへフィードバック信号を返送するための指示を制御信号生成部１７ｂに与える。
【００４３】
そうすると、制御信号生成部１７ｂは、フィードバック信号を生成する。フィードバック信号も、予め決められたデータパターンを有する。そして、フィードバック信号は、ＤＭＴ変調部１２ｂおよび光変調部１３ｂを利用して光送受信器２ａへ送信される。このとき、フィードバック信号も、例えば、ＤＭＴ変調において使用される複数のサブキャリアの中の予め指定されたサブキャリアで伝送されるようにしてもよい。
【００４４】
フィードバック信号は、光送受信器２ａにおいて、光受信部１４ａにより抽出されて制御信号受信部１８ａに導かれる。制御信号受信部１８ａは、受信したフィードバック信号をＦＥＣ制御部１９ａに導く。ＦＥＣ制御部１９ａは、光送受信器２ｂにより生成されたフィードバック信号を受信すると、光送受信器２ａ、２ｂ間のレイテンシを測定する。レイテンシは、上述のタイマを用いて測定される。或いは、レイテンシ測定の開始時刻とフィードバック信号の受信時刻との差分からレイテンシを算出してもよい。
【００４５】
このように、ＦＥＣ制御部１９ａは、プローブ信号を送信したときから対応するフィードバック信号を受信するまでの時間を測定することで、光送受信器２ａ、２ｂ間のレイテンシを測定する。即ち、ＦＥＣ制御部１９ａは、実質的に、ＲＴＴ（Round Trip Time）を測定する。したがって、レイテンシを測定するためにｐｉｎｇまたはｐｉｎｇと同等なメッセージを利用してもよい。なお、このようにして測定されるレイテンシは、ＦＥＣ処理時間を含んでいない。
【００４６】
また、上述の実施例では、光送受信器２ｂは、受信したプローブ信号に対応するフィードバック信号を光送受信器２ａに返送しているが、受信したプローブ信号を光送受信器２ａへ返送してもよい。また、光送受信器２ａと光送受信器２ｂとの間で時刻同期が確立されているときは、プローブ信号（及び、フィードバック信号）にタイムスタンプを付与してもよい。この場合、光送受信器２ａから光送受信器２ｂへデータを伝送する際のレイテンシ、及び光送受信器２ｂから光送受信器２ａへデータを伝送する際のレイテンシを個々に測定することができる。ただし、この方法においては、光送受信器２ｂは、光送受信器２ａから光送受信器２ｂへデータを伝送する際のレイテンシの測定結果を光送受信器２ａに通知する。
【００４７】
なお、光送受信器２ａは、サブキャリアに対して所定の速度の変調を与え、光送受信器２ｂとの間で往復した後の信号の遅延時間をモニタすることでレイテンシを測定してもよい。この場合、光送受信器２ａおよび２ｂは、複数のサブキャリアを使用してもよい。そして、複数のサブキャリアが使用される場合、各サブキャリアに変調速度は異なっていてもよい。また、光送受信器２ａは、ある周波数のサブキャリアの連続光信号を出力し、光送受信器２ｂとの間で往復した後の信号の遅延時間をモニタすることでレイテンシを測定してもよい。この場合、光送受信器２ａおよび２ｂは、複数のサブキャリアを使用してもよい。
【００４８】
つづいて、ＦＥＣ制御部１９ａは、測定したレイテンシに基づいてＦＥＣ方式を決定する。ここで、ＦＥＣ方式を決定する際のポリシは、以下の通りである。
【００４９】
レイテンシは、光送受信器２ａ、２ｂ間の伝送遅延および光伝送装置内の処理時間に依存する。そして、この伝送遅延は、図５（ａ）に示すように、実質的に光送受信器２ａ、２ｂ間の伝送距離に比例する。ここで、伝送距離（すなわち、光ファイバ長）が長くなると、図５（ｂ）に示すように、光損失が大きくなる。光損失が大きい場合、受信側の光伝送装置において伝送特性（例えば、光信号対雑音比）は劣化する。よって、光伝送装置内の処理時間が一定であるものとすると、レイテンシが大きい光伝送システムほど、伝送特性が劣化する傾向が現れる。すなわち、レイテンシが大きい光伝送システムにおいては、データ伝送中にビット誤りが増加しやすいと考えられる。
【００５０】
そうすると、レイテンシが大きい光伝送システムにおいては、誤りを訂正能力の高いＦＥＣ方式を使用することが好ましい。一方、レイテンシが小さい光伝送システムにおいては、誤りを訂正能力の低いＦＥＣ方式であってもよい。なお、「誤り訂正能力」は、誤りを訂正することができるビット数を表すものとする。
【００５１】
なお、実際のデータ伝送では、データに対してＦＥＣ処理が行われる。即ち、実際のデータ伝送においては、レイテンシは、ＦＥＣ処理に要する時間（以下、ＦＥＣ処理時間）にも依存する。このため、伝送距離が短い場合は、伝送遅延が小さいので、レイテンシ全体に対してＦＥＣ処理時間が支配的となることがある。ここで、多くの場合、誤り訂正能力の高いＦＥＣ方式が使用されるときは、ＦＥＣ処理に要する時間（特に、ＦＥＣデコーダが誤りを検出して訂正する処理に要する時間）が長く、誤り訂正能力の低いＦＥＣ方式が使用されるときは、ＦＥＣ処理に要する時間は短い。したがって、伝送距離が短い光伝送システムに対して誤り訂正能力の低いＦＥＣ方式を適用することは、総レイテンシ（伝送遅延だけでなく、ＦＥＣ処理時間を含む）を小さくするために好適である。例えば、高速応答が要求されるサービス（証券取引、為替取引など）を提供するシステムにおいて、サーバコンピュータとクライアントとの間の伝送距離が小さいときは、高速応答を実現するために誤り訂正能力の低いＦＥＣ方式を適用することが好ましい。
【００５２】
図６は、ＦＥＣ方式判定テーブルの一例を示す。ＦＥＣ方式判定テーブルには、図６に示すように、レイテンシ（ここでは、ＦＥＣ処理時間を含まない）に対して使用すべきＦＥＣ方式が登録されている。この実施例では、光送受信器は、３つのＦＥＣ方式をサポートする。そして、レイテンシが５０μ秒より小さいときはＦＥＣ方式１（ＢＣＨ符号（９０６ビット））を使用し、レイテンシが５０〜１００μ秒であるときはＦＥＣ方式２（ＢＣＨ符号（３９６５ビット））を使用し、レイテンシが１００μ秒以上であるときはＦＥＣ方式３（連接ＢＣＨ符号（３８０１６ビット））を使用する旨が登録されている。尚、ＦＥＣ方式判定テーブルは、例えば、ＦＥＣ制御部１９ａの中に設けられている。
【００５３】
ＦＥＣ方式の誤り訂正能力は、符号化利得で表されている。この実施例の３つのＦＥＣ方式の中では、ＦＥＣ方式３の符号化利得（coding gain）が最大であり、ＦＥＣ方式１の符号化利得が最小である。符号化利得は、所定の誤り率を達成する場合において、ＦＥＣ符号化が施されていない信号とＦＥＣ符号化が施された信号との間の伝送特性（たとえば、信号対雑音比）の差分を表す。例えば、ＦＥＣ符号化が施されていない信号と比較して、ＦＥＣ方式１で符号化された信号の信号対雑音比が6.6dBだけ低いときに、同じ誤り率が得られることになる。換言すれば、ＦＥＣ方式１で符号化を行うことにより、実質的に「6.6dB」に相当する伝送特性の改善が実現される。
【００５４】
なお、ＦＥＣレイテンシ（ここでは、ＦＥＣ処理に要する時間）は、誤り訂正能力に依存する。すなわち、誤り訂正能力の低いＦＥＣ方式１のＦＥＣレイテンシは小さく、誤り訂正能力の低いＦＥＣ方式１のＦＥＣレイテンシは大きい。
【００５５】
したがって、ＦＥＣ制御部１９ａは、測定したレイテンシに基づいて図６に示すＦＥＣ方式判定テーブルを参照することにより、使用するＦＥＣ方式を選択する。すなわち、光送受信器２ａ、２ｂ間のレイテンシが５０μ秒よりも小さいときは、ＦＥＣ制御部１９ａはＦＥＣ方式１を選択する。また、レイテンシが５０μ秒以上で１００μ秒よりも小さいときは、ＦＥＣ制御部１９ａはＦＥＣ方式２を選択する。さらに、レイテンシが１００μ秒以上であるときは、ＦＥＣ制御部１９ａはＦＥＣ方式３を選択する。
【００５６】
そして、ＦＥＣ制御部１９ａは、選択したＦＥＣ方式でＦＥＣエンコーダ１１ａおよびＦＥＣデコーダ１６ａが動作するように、ＦＥＣエンコーダ１１ａおよびＦＥＣデコーダ１６ａに対して指示を与える。そうすると、ＦＥＣエンコーダ１１ａおよびＦＥＣデコーダ１６ａは、それぞれ、ＦＥＣ制御部１９ａからの指示に従ってＦＥＣ処理のためのパラメータを更新する。また、ＦＥＣ制御部１９ａは、選択したＦＥＣ方式を光送受信器２ｂに通知する。これにより、光送受信器２ｂにおいて、ＦＥＣエンコーダ１１ｂおよびＦＥＣデコーダ１６ｂは、それぞれ、ＦＥＣエンコーダ１１ａおよびＦＥＣデコーダ１６ａと同様にＦＥＣ処理のためのパラメータを更新する。さらに、ＦＥＣ制御部１９ａは、選択したＦＥＣ方式を変調方式制御部２０ａに通知する。
【００５７】
変調方式制御部２０ａは、ＦＥＣ制御部１９ａにより選択されたＦＥＣ方式および光送受信器２ａ、２ｂ間の伝送特性に基づいて変調方式を決定する。光送受信器２ａ、２ｂ間の伝送特性は、この実施例では、予め測定された各サブキャリアの光信号対雑音比により表される。そして、各サブキャリアの光信号対雑音比を表す伝送特性情報が変調方式制御部２０ａに与えられる。
【００５８】
変調方式の決定は、上述したように、各サブキャリアに対するビット割当てによって実現される。ここで、この実施例では、サブキャリアｉ（ｉ＝１〜２５６）に対して割り当てられるビット数は、下記のポリシで決定されるものとする。なお、ＳＮＲｉは、サブキャリアｉについて測定された光信号対雑音比を表す。また、閾値１＜閾値２＜閾値３である。さらに、閾値１、閾値２、閾値３は、シミュレーションまたは測定などに基づいて適切に決定されているものとする。
（１）ＳＮＲｉ＜閾値１であるときは、ビット数＝０
（２）閾値１≦ＳＮＲｉ＜閾値２であるときは、ビット数＝２
（３）閾値２≦ＳＮＲｉ＜閾値３であるときは、ビット数＝３
（４）閾値３≦ＳＮＲｉであるときは、ビット数＝４
【００５９】
ただし、本発明の実施形態の光伝送装置１は、ＦＥＣ符号を使用してビット誤りを訂正する。すなわち、ＦＥＣ符号を使用することにより、実質的に、そのＦＥＣ方式の符号化利得の分だけ伝送特性（ここでは、光信号対雑音比）が改善したときと同等の効果が得られる。したがって、変調方式制御部２０ａは、ＦＥＣ制御部１９ａにより選択されたＦＥＣ方式に応じて、ビット割当てを決定する。
【００６０】
例えば、測定されたレイテンシが５０μ秒よりも小さく、ＦＥＣ方式１が選択されたときは、変調方式制御部２０ａは、下記のポリシでサブキャリアｉに対して割り当てられるビット数を決定する。
（１）ＳＮＲｉ＋６．６＜閾値１であるときは、ビット数＝０
（２）閾値１≦ＳＮＲｉ＋６．６＜閾値２であるときは、ビット数＝２
（３）閾値２≦ＳＮＲｉ＋６．６＜閾値３であるときは、ビット数＝３
（４）閾値３≦ＳＮＲｉ＋６．６であるときは、ビット数＝４
【００６１】
また、測定されたレイテンシが５０〜１００μ秒の範囲内であり、ＦＥＣ方式２が選択されたときは、変調方式制御部２０ａは、下記のポリシでサブキャリアｉに対して割り当てられるビット数を決定する。
（１）ＳＮＲｉ＋８．４＜閾値１であるときは、ビット数＝０
（２）閾値１≦ＳＮＲｉ＋８．４＜閾値２であるときは、ビット数＝２
（３）閾値２≦ＳＮＲｉ＋８．４＜閾値３であるときは、ビット数＝３
（４）閾値３≦ＳＮＲｉ＋８．４であるときは、ビット数＝４
【００６２】
さらに、測定されたレイテンシが１００μ秒以上であり、ＦＥＣ方式３が選択されたときは、変調方式制御部２０ａは、下記のポリシでサブキャリアｉに対して割り当てられるビット数を決定する。
（１）ＳＮＲｉ＋１１＜閾値１であるときは、ビット数＝０
（２）閾値１≦ＳＮＲｉ＋１１＜閾値２であるときは、ビット数＝２
（３）閾値２≦ＳＮＲｉ＋１１＜閾値３であるときは、ビット数＝３
（４）閾値３≦ＳＮＲｉ＋１１であるときは、ビット数＝４
【００６３】
そして、変調方式制御部２０ａは、このビット割当てに従って、各サブキャリアの変調方式を指定する。例えば、「２ビット」が割り当てられるサブキャリアに対してはＱＰＳＫまたはＱＰＳＫと同等な変調方式が指定される。「３ビット」が割り当てられるサブキャリアに対しては８ＰＳＫまたは８ＰＳＫと同等な変調方式が指定される。「４ビット」が割り当てられるサブキャリアに対しては１６ＱＡＭまたは１６ＱＡＭと同等な変調方式が指定される。そうすると、ＤＭＴ変調部１２ａは、変調方式制御部２０ａにより指定された変調方式で各サブキャリアを変調するように、変調回路のパラメータを更新する。また、ＤＭＴ復調部１５ａは、変調方式制御部２０ａにより指定された変調方式で各サブキャリアを復調するように、復調回路のパラメータを更新する。
【００６４】
さらに、変調方式制御部２０ａは、決定した変調方式を光送受信器２ｂに通知する。そうすると、ＤＭＴ変調部１２ｂも、変調方式制御部２０ａにより指定された変調方式で各サブキャリアを変調するように、変調回路のパラメータを更新する。また、ＤＭＴ復調部１５ｂも、変調方式制御部２０ａにより指定された変調方式で各サブキャリアを復調するように、復調回路のパラメータを更新する。
【００６５】
図７は、小さいレイテンシに対してＦＥＣ方式および変調方式を決定する方法の一例を示す。ここでは、図７（ａ）に示す伝送特性が測定により得られたものとする。そして、この伝送特性に対して上述の閾値１〜閾値３を利用した判定を行うと、図７（ａ）に示すビット割当てが得られるものとする。
【００６６】
レイテンシが小さいときは（図６に示す例では、５０μ秒よりも小さい）、ＦＥＣ制御部１９ａは、ＦＥＣ方式１を選択する。そうすると、変調方式制御部２０ａは、測定された伝送特性がＦＥＣ方式の符号化利得（図６に示す例では、６．６ｄＢ）だけ改善された特性を算出する。ＦＥＣ方式１により改善された特性は、図７（ａ）において破線で表されている。そして、変調方式制御部２０ａは、この改善された特性に対して上述の閾値１〜閾値３を利用した判定を行う。この結果、図７（ｂ）に示すビット割当てが得られる。すなわち、ＤＭＴ変調部１２ａは、このビット割当てに従ってＤＭＴ変調を行う。
【００６７】
図８は、大きいレイテンシに対してＦＥＣ方式および変調方式を決定する方法の一例を示す。ここでは、図８（ａ）に示す伝送特性が測定により得られたものとする。そして、この伝送特性に対して上述の閾値１〜閾値３を利用した判定を行うと、図８（ａ）に示すビット割当てが得られるものとする。なお、図７（ａ）および図８（ａ）に示すように、レイテンシが小さいときと比較して、レイテンシが大きいときは、伝送特性が劣化しているので、１シンボル当たりのビット数が少なくなる。
【００６８】
レイテンシが大きいときは（図６に示す例では、１００μ秒以上）、ＦＥＣ制御部１９ａは、ＦＥＣ方式３を選択する。そうすると、変調方式制御部２０ａは、測定された伝送特性がＦＥＣ方式の符号化利得（図６に示す例では、１１．０ｄＢ）だけ改善された特性を算出する。ＦＥＣ方式３により改善された特性は、図８（ａ）において破線で表されている。なお、図７（ａ）および図８（ａ）に示すように、レイテンシが小さいときと比較して、レイテンシが大きいときは、選択されたＦＥＣ方式により符号化利得が大きい。そして、変調方式制御部２０ａは、この改善された特性に対して上述の閾値１〜閾値３を利用した判定を行う。この結果、図８（ｂ）に示すビット割当てが得られる。すなわち、ＤＭＴ変調部１２ａは、このビット割当てに従ってＤＭＴ変調を行う。
【００６９】
図９は、ＦＥＣ方式および変調方式を決定する処理を示すフローチャートである。以下の記載では、図４に示す光送受信器２ａがＦＥＣ方式および変調方式を決定する手順を説明する。なお、このフローチャートの処理が実行されるときは、ＦＥＣエンコーダおよびＦＥＣデコーダは停止しているものとする。
【００７０】
Ｓ１において、ＦＥＣ制御部１９ａは、制御信号生成部１７ａを利用して、光送受信器２ｂへプローブ信号を送信する。光送受信器２ｂは、このプローブ信号を受信すると、対応するフィードバック信号を光送受信器２ａへ返送するものとする。Ｓ２において、ＦＥＣ制御部１９ａは、制御信号受信部１８ａを介して、光送受信器２ｂから返送されてくるフィードバック信号を受信する。そして、Ｓ３において、ＦＥＣ制御部１９ａは、プローブ信号を送信した時刻およびフィードバック信号を受信した時刻に基づいて、光送受信器２ａ、２ｂ間のレイテンシを算出する。なお、このレイテンシは、ＦＥＣ処理時間を含んでいない。
【００７１】
Ｓ４において、ＦＥＣ制御部１９ａは、算出したレイテンシに基づいてＦＥＣ方式を決定する。このとき、ＦＥＣ制御部１９ａは、例えば、図６に示すＦＥＣ方式判定テーブルを参照して、予め用意されている複数のＦＥＣ方式の中から算出したレイテンシに対応するＦＥＣ方式を選択する。そして、Ｓ５において、変調方式制御部２０ａは、光送受信器２ａ、２ｂ間の伝送特性およびＳ４で決定したＦＥＣ方式に基づいて、光送受信器２ａ、２ｂ間のデータ伝送のための変調方式を決定する。例えば、ＤＭＴ変調方式でデータが伝送されるときは、変調方式制御部２０ａは、各サブキャリアに対してビット割当てを決定する。
【００７２】
このように、本発明の実施形態の光伝送システムにおいては、光伝送装置間のレイテンシに基づいてＦＥＣ方式が選択され、光伝送装置間の伝送特性および選択されたＦＥＣ方式に基づいて変調方式が決定される。よって、レイテンシの小さい光伝送システムでは、誤り訂正能力の低いＦＥＣ方式を選択することにより、光伝送装置内での処理時間を削減することができる。したがって、ＦＥＣ符号を利用する実際のデータ伝送において、高速応答が要求されるサービスの提供が可能である。一方、レイテンシの大きい光伝送システムでは、誤り訂正能力の高いＦＥＣ方式を選択することにより、ビット誤りの影響が抑制される。したがって、１シンボル当たりのビット数の多い変調方式を使用してデータを伝送できるので、データ伝送の効率が向上する。特に、ＤＭＴ変調を利用してデータを伝送する光伝送システムでは、周波数利用効率が向上する。
【００７３】
なお、上述の実施例では、誤り訂正符号としてＢＣＨ符号が採用されているが、本発明はこの方法に限定されるものではない。すなわち、ＢＣＨ符号の代わりに、他のＦＥＣ符号（例えば、ハミング符号、リード・ソロモン符号、Golay符号、畳込み符号など）を使用してもよい。
【００７４】
また、上述の実施例では、プローブ信号（及び、フィードバック信号）を利用して光送受信器２ａ、２ｂ間のレイテンシが測定される。そして、ＦＥＣ制御部は、そのようにして測定されたレイテンシに基づいてＦＥＣ方式を決定する。しかしながら、本発明はこの方法に限定されるものではない。以下、他の方法でＦＥＣ方式を決定する方法について説明する。
【００７５】
図１０は、伝送距離に基づいてＦＥＣ方式を決定する方法を説明する図である。なお、図１０においては、ＦＥＣ方式の決定に係わる機能が描かれている。
【００７６】
伝送距離に基づいてＦＥＣ方式を決定する場合、光送受信器２ａ、２ｂは、それぞれ伝送距離情報取得部３１ａ、３１ｂを有する。伝送距離情報取得部３１ａ、３１ｂは、それぞれ光送受信器２ａ、２ｂ間の伝送距離を表す伝送距離情報を取得する。なお、光送受信器２ａ、２ｂ間の伝送距離は、予め測定されているものとする。
【００７７】
ＦＥＣ制御部１９ａは、伝送距離情報取得部３１ａにより取得された伝送距離情報から光送受信器２ａ、２ｂ間のレイテンシを見積もり、そのレイテンシに基づいてＦＥＣ方式を決定する。そして、ＦＥＣ制御部１９ａは、決定したＦＥＣ方式に従ってＦＥＣエンコーダ１１ａの設定を更新する。同様に、ＦＥＣ制御部１９ｂは、伝送距離情報取得部３１ｂにより取得された伝送距離情報から光送受信器２ａ、２ｂ間のレイテンシを見積もり、そのレイテンシに基づいてＦＥＣ方式を決定する。そして、ＦＥＣ制御部１９ｂは、決定したＦＥＣ方式に従ってＦＥＣデコーダ１６ｂの設定を更新する。
【００７８】
このように、ＦＥＣ制御部は、伝送距離からレイテンシを見積もり、そのレイテンシに基づいてＦＥＣ方式を決定する。ただし、ＦＥＣ制御部は、レイテンシを見積もることなく伝送距離からＦＥＣ方式を決定してもよい。
【００７９】
図１１は、サービスの種別に基づいてＦＥＣ方式を決定する方法を説明する図である。なお、図１１においては、ＦＥＣ方式の決定に係わる機能が描かれている。
【００８０】
この実施形態において、サービスは、光伝送システムを利用して提供されるネットワークサービスを意味する。例えば、証券取引サービスにおいては、クライアントからサーバコンピュータへ注文データが送信され、サーバコンピュータからクライアントへ取引データが返送される。また、グラフィカル開発サービスにおいては、拠点間でグラフィカルデータが伝送される。
【００８１】
ここで、サービスの種別によっては、高速応答を必要とする。すなわち、許容レイテンシは、サービスの種別によって異なる。そこで、サービスの種別に基づいてＦＥＣ方式を決定する場合は、光送受信器２ａ、２ｂは、それぞれサービス情報取得部３２ａ、３２ｂを有する。サービス情報取得部３２ａ、３２ｂは、それぞれ光伝送システムを利用して提供されるサービスの種別を識別するサービス情報を取得する。そして、サービス情報取得部３２ａ、３２ｂは、取得したサービス情報から許容レイテンシを見積もる。
【００８２】
ＦＥＣ制御部１９ａは、サービス情報取得部３２ａにより得られた許容レイテンシに基づいてＦＥＣ方式を決定する。そして、ＦＥＣ制御部１９ａは、決定したＦＥＣ方式に従ってＦＥＣエンコーダ１１ａの設定を更新する。同様に、ＦＥＣ制御部１９ｂは、サービス情報取得部３２ｂにより得られた許容レイテンシに基づいてＦＥＣ方式を決定する。そして、ＦＥＣ制御部１９ｂは、決定したＦＥＣ方式に従ってＦＥＣデコーダ１６ｂの設定を更新する。
【００８３】
このように、ＦＥＣ制御部は、サービスの種別から許容レイテンシを見積もり、その許容レイテンシに基づいてＦＥＣ方式を決定する。ただし、ＦＥＣ制御部は、許容レイテンシを見積もることなくサービスの種別からＦＥＣ方式を決定してもよい。
【００８４】
図１２は、ユーザ要求に基づいてＦＥＣ方式を決定する方法を説明する図である。尚、図１２においては、ＦＥＣ方式の決定に係わる機能が描かれている。
【００８５】
ユーザ（ここでは、ネットワーク管理者を含む）は、レンテンシの最大値を規定したいときがある。すなわち、ユーザから許容レイテンシが要求されることがある。そこで、ユーザの要求に基づいてＦＥＣ方式を決定する場合は、光送受信器２ａ、２ｂは、それぞれユーザ要求取得部３３ａ、３３ｂを有する。ユーザ要求取得部３３ａ、３３ｂは、それぞれユーザから与えられる許容レイテンシを取得する。
【００８６】
ＦＥＣ制御部１９ａは、ユーザ要求取得部３３ａにより得られた許容レイテンシに基づいてＦＥＣ方式を決定する。そして、ＦＥＣ制御部１９ａは、決定したＦＥＣ方式に従ってＦＥＣエンコーダ１１ａの設定を更新する。同様に、ＦＥＣ制御部１９ｂは、ユーザ要求取得部３３ｂにより得られた許容レイテンシに基づいてＦＥＣ方式を決定する。そして、ＦＥＣ制御部１９ｂは、決定したＦＥＣ方式に従ってＦＥＣデコーダ１６ｂの設定を更新する。
【００８７】
以上記載した各実施例を含む実施形態に関し、さらに以下の付記を開示する。
（付記１）
対向装置との間のレイテンシに基づいて誤り訂正方式を決定する誤り訂正方式決定部と、
前記誤り訂正方式決定部により決定された誤り訂正方式で送信データに対して誤り訂正符号化処理を行って符号化データを生成する誤り訂正エンコーダと、
前記誤り訂正方式決定部により決定された誤り訂正方式および前記対向装置との間の伝送特性に基づいて変調方式を決定する変調方式決定部と、
前記変調方式決定部により決定された変調方式で前記符号化データから変調光信号を生成する光送信器と、
を有する光伝送装置。
（付記２）
前記変調方式決定部は、前記誤り訂正方式決定部により決定された誤り訂正方式の符号化利得および前記対向装置との間の伝送特性に基づいて変調方式を決定する
ことを特徴とする付記１に記載の光伝送装置。
（付記３）
前記変調方式決定部は、前記対向装置との間の伝送特性が前記符号化利得だけ改善された伝送特性に基づいて変調方式を決定する
ことを特徴とする付記２に記載の光伝送装置。
（付記４）
前記対向装置との間のレイテンシを測定するレイテンシ測定部をさらに有し、
前記誤り訂正方式決定部は、前記レイテンシ測定部により測定されたレイテンシに基づいて誤り訂正方式を決定する
ことを特徴とする付記１に記載の光伝送装置。
（付記５）
前記レイテンシ測定部は、前記対向装置へプローブ信号を送信したときから前記プローブ信号に対応する信号を前記対向装置から受信するまでの時間に基づいて前記レイテンシを測定する
ことを特徴とする付記４に記載の光伝送装置。
（付記６）
前記誤り訂正方式決定部は、前記光伝送装置と前記対向装置との間の伝送距離から前記対向装置との間のレイテンシを見積もり、そのレイテンシに基づいて誤り訂正方式を決定する
ことを特徴とする付記１に記載の光伝送装置。
（付記７）
前記誤り訂正方式決定部は、指定されたサービスの種別に対して許容レイテンシを見積もり、その許容レイテンシに基づいて誤り訂正方式を決定する
ことを特徴とする付記１に記載の光伝送装置。
（付記８）
前記誤り訂正方式決定部は、ユーザから要求されるレイテンシに基づいて誤り訂正方式を決定する
ことを特徴とする付記１に記載の光伝送装置。
（付記９）
複数のサブキャリアを利用する離散マルチトーン変調でデータを対向装置へ送信する光伝送装置であって、
前記対向装置との間のレイテンシに基づいて誤り訂正方式を決定する誤り訂正方式決定部と、
前記誤り訂正方式決定部により決定された誤り訂正方式で送信データに対して誤り訂正符号化処理を行って符号化データを生成する誤り訂正エンコーダと、
前記対向装置との間の伝送特性および前記誤り訂正方式決定部により決定された誤り訂正方式に基づいて決定される前記複数のサブキャリアに対するビット割当てに従って、離散マルチトーン変調で前記符号化データから離散マルチトーン変調信号を生成する離散マルチトーン変調部と、
前記離散マルチトーン変調部により生成される離散マルチトーン変調信号から変調光信号を生成する光変調器と、
を有する光伝送装置。
（付記１０）
第１の光伝送装置および第２の光伝送装置を有する光伝送システムであって、
前記第１の光伝送装置は、
前記第１の光伝送装置と前記第２の光伝送装置との間のレイテンシに基づいて誤り訂正方式を決定する誤り訂正方式決定部と、
前記誤り訂正方式決定部により決定された誤り訂正方式で送信データに対して誤り訂正符号化処理を行って符号化データを生成する誤り訂正エンコーダと、
前記誤り訂正方式決定部により決定された誤り訂正方式および前記第１の光伝送装置と前記第２の光伝送装置との間の伝送特性に基づいて変調方式を決定する変調方式決定部と、
前記変調方式決定部により決定された変調方式で前記符号化データから変調光信号を生成する光送信器と、
を有する光伝送システム。
【符号の説明】
【００８８】
１（１Ａ〜１Ｄ）  光伝送装置
２（２ａ、２ｂ）  光送受信器
１１ａ  ＦＥＣエンコーダ
１２ａ  ＤＭＴ変調部
１３ａ  光変調部
１９ａ  ＦＥＣ制御部
２０ａ  変調方式制御部
３１ａ、３１ｂ  伝送距離情報取得部
３２ａ、３２ｂ  サービス情報取得部
３３ａ、３３ｂ  ユーザ要求取得部
【図１】
2015171016.tif 000003
【図２】
2015171016.tif 000004
【図３】
2015171016.tif 000005
【図４】
2015171016.tif 000006
【図５】
2015171016.tif 000007
【図６】
2015171016.tif 000008
【図７】
2015171016.tif 000009
【図８】
2015171016.tif 000010
【図９】
2015171016.tif 000011
【図１０】
2015171016.tif 000012
【図１１】
2015171016.tif 000013
【図１２】
2015171016.tif 000014